【手続補正書】
【提出日】平成26年7月23日(2014.7.23)
【手続補正１】
【補正対象書類名】明細書
【補正対象項目名】発明の名称
【補正方法】変更
【補正の内容】
【発明の名称】表示制御装置および方法、画像処理装置および方法、並びに、プログラム
【手続補正２】
【補正対象書類名】明細書
【補正対象項目名】０００１
【補正方法】変更
【補正の内容】
【０００１】
本開示は、表示制御装置および方法、画像処理装置および方法、並びに、プログラムに関し、特に、拍動の伝搬を容易かつ非侵襲に観察することができるようにした表示制御装置および方法、画像処理装置および方法、並びに、プログラムに関する。
【手続補正３】
【補正対象書類名】明細書
【補正対象項目名】００１０
【補正方法】変更
【補正の内容】
【００１０】
本開示の一側面は、細胞を含む１又は複数の画像により、細胞画像の表示制御を行う第１の表示制御部と、前記１又は複数の画像により部分領域毎に生成された動き量の一部又は全部を、前記部分領域毎に対応付け、前記細胞画像に重畳表示するよう表示制御を行う第２の表示制御部とを備える表示制御装置である。
【手続補正４】
【補正対象書類名】明細書
【補正対象項目名】００１１
【補正方法】変更
【補正の内容】
【００１１】
前記細胞は、受動的または能動的に動く細胞であり、前記第２の表示制御部は、前記細胞の動きの伝搬の様子を表現するように、前記動き量の一部又は全部を表示させることができる。
【手続補正５】
【補正対象書類名】明細書
【補正対象項目名】００１２
【補正方法】変更
【補正の内容】
【００１２】
前記第２の表示制御部は、前記細胞の動きの伝搬の様子を、前記細胞画像における前記動き量の分布の経時変化として表示させることができる。
【手続補正６】
【補正対象書類名】明細書
【補正対象項目名】００１３
【補正方法】変更
【補正の内容】
【００１３】
前記第２の表示制御部は、前記動き量の分布を表現する曲面または平面上の２次元マップを、複数の時刻のそれぞれについて表示させることにより、前記動き量の分布の経時変化を表現することができる。
【手続補正７】
【補正対象書類名】明細書
【補正対象項目名】００１４
【補正方法】変更
【補正の内容】
【００１４】
前記第２の表示制御部は、前記細胞画像における前記動き量の位置を前記２次元マップ上の位置として表現し、前記動き量の絶対値を、色、濃度、若しくは模様として表現することができる。
【手続補正８】
【補正対象書類名】明細書
【補正対象項目名】００１５
【補正方法】変更
【補正の内容】
【００１５】
前記細胞画像は、動画像であり、前記第２の表示制御部は、前記細胞画像の各フレーム画像に、前記フレーム画像に対応する前記動き量の一部又は全部を重畳表示させることができる。
【手続補正９】
【補正対象書類名】明細書
【補正対象項目名】００１６
【補正方法】変更
【補正の内容】
【００１６】
前記第２の表示制御部は、前記動き量とともに前記動き量の分布の評価結果を表示させることができる。
【手続補正１０】
【補正対象書類名】明細書
【補正対象項目名】００１７
【補正方法】変更
【補正の内容】
【００１７】
本開示の一側面は、また、表示制御装置の表示制御方法であって、第１の表示制御部が、細胞を含む１又は複数の画像により、細胞画像の表示制御を行い、第２の表示制御部が、前記１又は複数の画像により部分領域毎に生成された動き量の一部又は全部を、前記部分領域毎に対応付け、前記細胞画像に重畳表示するよう表示制御を行う表示制御方法である。。
【手続補正１１】
【補正対象書類名】明細書
【補正対象項目名】００１８
【補正方法】変更
【補正の内容】
【００１８】
本開示の一側面は、さらに、コンピュータを、細胞を含む１又は複数の画像により、細胞画像の表示制御を行う第１の表示制御部、前記１又は複数の画像により部分領域毎に生成された動き量の一部又は全部を、前記部分領域毎に対応付け、前記細胞画像に重畳表示するよう表示制御を行う第２の表示制御部として機能させるためのプログラムである。
【手続補正１２】
【補正対象書類名】明細書
【補正対象項目名】００１９
【補正方法】変更
【補正の内容】
【００１９】
本開示の他の側面は、細胞を含む１又は複数の画像について、部分領域毎に動き量を生成する動き量生成部と、前記動き量生成部により生成された前記動き量の一部または全部を用いて、前記細胞の動きの伝搬の様子を評価する評価部とを備える画像処理装置である。
【手続補正１３】
【補正対象書類名】明細書
【補正対象項目名】００２０
【補正方法】変更
【補正の内容】
【００２０】
前記評価部は、前記動き量により示される前記細胞の動きの伝搬の様子の、前記細胞の動きが正常であることが確かな場合との比較結果を画像として表示させることができる。
【手続補正１４】
【補正対象書類名】明細書
【補正対象項目名】００２１
【補正方法】変更
【補正の内容】
【００２１】
前記評価部は、前記細胞画像の動き量について、前記細胞の動きが正常であることが確かな場合との差分を求め、前記差分を評価することによって、前記細胞の動きの伝搬の様子の変化を定量的に評価することができる。
【手続補正１５】
【補正対象書類名】明細書
【補正対象項目名】００２２
【補正方法】変更
【補正の内容】
【００２２】
前記評価部は、前記細胞画像における動きがない不動領域の変化を評価することができる。
【手続補正１６】
【補正対象書類名】明細書
【補正対象項目名】００２３
【補正方法】変更
【補正の内容】
【００２３】
前記評価部は、前記動き量が大きな領域の移動の速さの変化を評価することができる。
【手続補正１７】
【補正対象書類名】明細書
【補正対象項目名】００２４
【補正方法】変更
【補正の内容】
【００２４】
前記評価部は、前記動き量の重心の軌跡の変化を評価することができる。
【手続補正１８】
【補正対象書類名】明細書
【補正対象項目名】００２５
【補正方法】変更
【補正の内容】
【００２５】
前記評価部は、前記細胞画像における動きの速度や方向についてのヒストグラムを評価することができる。
【手続補正１９】
【補正対象書類名】明細書
【補正対象項目名】００２６
【補正方法】変更
【補正の内容】
【００２６】
前記評価部は、数時間乃至数日間の観察期間について、前記細胞の動きの伝搬の様子を評価することができる。
前記評価部は、心筋細胞のＱ波とＴ波間時間の延長であるＱＴ延長の発生によらずに、前記心筋細胞の不整脈の発生を検出するように、前記細胞の動きの伝搬の様子を評価することができる。
本開示の他の側面は、また、画像処理装置の画像処理方法であって、動き量生成部が、細胞を含む１又は複数の画像について、部分領域毎に動き量を生成し、評価部が、生成された前記動き量の一部または全部を用いて、前記細胞の動きの伝搬の様子を評価する画像処理方法である。
本開示の他の側面は、さらに、コンピュータを、細胞を含む１又は複数の画像について、部分領域毎に動き量を生成する動き量生成部、前記動き量生成部により生成された前記動き量の一部または全部を用いて、前記細胞の動きの伝搬の様子を評価する評価部として機能させるためのプログラムである。
【手続補正２０】
【補正対象書類名】明細書
【補正対象項目名】００２７
【補正方法】変更
【補正の内容】
【００２７】
本開示の一側面においては、細胞を含む１又は複数の画像により、細胞画像の表示制御が行われ、前記１又は複数の画像により部分領域毎に生成された動き量の一部又は全部が、前記部分領域毎に対応付けられ、前記細胞画像に重畳表示するよう表示制御が行われる。
本開示の他の側面においては、細胞を含む１又は複数の画像について、部分領域毎に動き量が生成され、生成された前記動き量の一部または全部を用いて、前記細胞の動きの伝搬の様子が評価される。
【手続補正２１】
【補正対象書類名】特許請求の範囲
【補正対象項目名】全文
【補正方法】変更
【補正の内容】
【特許請求の範囲】
【請求項１】
細胞を含む１又は複数の画像により、細胞画像の表示制御を行う第１の表示制御部と、
前記１又は複数の画像により部分領域毎に生成された動き量の一部又は全部を、前記部分領域毎に対応付け、前記細胞画像に重畳表示するよう表示制御を行う第２の表示制御部と
を備える表示制御装置。
【請求項２】
前記細胞は、受動的または能動的に動く細胞であり、
前記第２の表示制御部は、前記細胞の動きの伝搬の様子を表現するように、前記動き量の一部又は全部を表示させる
請求項１に記載の表示制御装置。
【請求項３】
前記第２の表示制御部は、前記細胞の動きの伝搬の様子を、前記細胞画像における前記動き量の分布の経時変化として表示させる
請求項２に記載の表示制御装置。
【請求項４】
前記第２の表示制御部は、前記動き量の分布を表現する曲面または平面上の２次元マップを、複数の時刻のそれぞれについて表示させることにより、前記動き量の分布の経時変化を表現する
請求項３に記載の表示制御装置。
【請求項５】
前記第２の表示制御部は、前記細胞画像における前記動き量の位置を前記２次元マップ上の位置として表現し、前記動き量の絶対値を、色、濃度、若しくは模様として表現する
請求項４に記載の表示制御装置。
【請求項６】
前記細胞画像は、動画像であり、
前記第２の表示制御部は、前記細胞画像の各フレーム画像に、前記フレーム画像に対応する前記動き量の一部又は全部を重畳表示させる
請求項１乃至請求項５のいずれかに記載の表示制御装置。
【請求項７】
前記第２の表示制御部は、前記動き量とともに前記動き量の分布の評価結果を表示させる
請求項１乃至請求項６のいずれかに記載の表示制御装置。
【請求項８】
表示制御装置の表示制御方法であって、
第１の表示制御部が、細胞を含む１又は複数の画像により、細胞画像の表示制御を行い、
第２の表示制御部が、前記１又は複数の画像により部分領域毎に生成された動き量の一部又は全部を、前記部分領域毎に対応付け、前記細胞画像に重畳表示するよう表示制御を行う
表示制御方法。
【請求項９】
コンピュータを、
細胞を含む１又は複数の画像により、細胞画像の表示制御を行う第１の表示制御部、
前記１又は複数の画像により部分領域毎に生成された動き量の一部又は全部を、前記部分領域毎に対応付け、前記細胞画像に重畳表示するよう表示制御を行う第２の表示制御部
として機能させるためのプログラム。
【請求項１０】
細胞を含む１又は複数の画像について、部分領域毎に動き量を生成する動き量生成部と、
前記動き量生成部により生成された前記動き量の一部または全部を用いて、前記細胞の動きの伝搬の様子を評価する評価部と
を備える画像処理装置。
【請求項１１】
前記評価部は、前記動き量により示される前記細胞の動きの伝搬の様子の、前記細胞の動きが正常であることが確かな場合との比較結果を画像として表示させる
請求項１０に記載の画像処理装置。
【請求項１２】
前記評価部は、前記細胞画像の動き量について、前記細胞の動きが正常であることが確かな場合との差分を求め、前記差分を評価することによって、前記細胞の動きの伝搬の様子の変化を定量的に評価する
請求項１０または請求項１１に記載の画像処理装置。
【請求項１３】
前記評価部は、前記細胞画像における動きがない不動領域の変化を評価する
請求項１２に記載の画像処理装置。
【請求項１４】
前記評価部は、前記動き量が大きな領域の移動の速さの変化を評価する
請求項１２または請求項１３に記載の画像処理装置。
【請求項１５】
前記評価部は、前記動き量の重心の軌跡の変化を評価する
請求項１２乃至請求項１４のいずれかに記載の画像処理装置。
【請求項１６】
前記評価部は、前記細胞画像における動きの速度や方向についてのヒストグラムを評価する
請求項１２乃至請求項１５のいずれかに記載の画像処理装置。
【請求項１７】
前記評価部は、数時間乃至数日間の観察期間について、前記細胞の動きの伝搬の様子を評価する
請求項１０乃至請求項１６のいずれかに記載の画像処理装置。
【請求項１８】
前記評価部は、心筋細胞のＱ波とＴ波間時間の延長であるＱＴ延長の発生によらずに、前記心筋細胞の不整脈の発生を検出するように、前記細胞の動きの伝搬の様子を評価する
請求項１０乃至請求項１７のいずれかに記載の画像処理装置。
【請求項１９】
画像処理装置の画像処理方法であって、
動き量生成部が、細胞を含む１又は複数の画像について、部分領域毎に動き量を生成し、
評価部が、生成された前記動き量の一部または全部を用いて、前記細胞の動きの伝搬の様子を評価する
画像処理方法。
【請求項２０】
コンピュータを、
細胞を含む１又は複数の画像について、部分領域毎に動き量を生成する動き量生成部、
前記動き量生成部により生成された前記動き量の一部または全部を用いて、前記細胞の動きの伝搬の様子を評価する評価部
として機能させるためのプログラム。